(57)【要約】      （修正有）【課題】デザインに立体視覚効果を与えることが可能なディスプレイ照明器具を提供する。【解決手段】ディスプレイ照明器具は、台座体１０と、回路板２０と、蓋体３０と、照明板４０とによって構成する。台座体１０は、収容室と、側面開口１２と、上面開口とを備える。回路板は、台座体の収容室に収容され、回路板には、発光部材２１と、電源コードとが設けられ、前記電源コードは外部の電源に電気的に接続される。蓋体は、台座体の上面開口を覆う。照明板は、台座体の側面開口に穿設され、台座体の外に露出した照明板の一面には複数の網掛け状のドット４１が設けられ、回路板２０の発光部材２１は前記複数の網掛け状のドット４１を照射する。【選択図】図２
0003166230.tif 000002
【実用新案登録請求の範囲】
【請求項１】
台座体と、回路板と、蓋体と、照明板とによって構成するディスプレイ照明器具であって、
前記台座体は、収容室と、側面開口と、上面開口とを備え、
前記回路板は、前記収容室に収容され、前記回路板には、発光部材と、電源コードとが設けられ、前記電源コードは外部の電源に電気的に接続され、
前記蓋体は、前記台座体の前記上面開口を覆い、
前記照明板は、前記台座体の前記側面開口に穿設され、前記台座体の外に露出した前記照明板の一面には複数の網掛け状のドットが設けられ、前記発光部材は前記複数の網掛け状のドットを照射することを特徴とする、ディスプレイ照明器具。
【請求項２】
前記ディスプレイ照明器具は、前記電源コードと電気的に接続されるプラグをさらに備え、前記蓋体は溝孔を備え、前記プラグは前記溝孔に穿設され、前記プラグを一定の角度回転させるために、前記蓋体の前記溝孔にはストッパーが設けられるとともに、前記プラグにおける前記ストッパーに対応する箇所には孤形溝が設けられることを特徴とする、請求項１に記載のディスプレイ照明器具。
【請求項３】
前記ディスプレイ照明器具は、前記回路板と電気的に接続されるとともに前記発光部材の点灯と消灯を制御するためのスイッチを更に備えることを特徴とする、請求項１に記載のディスプレイ照明器具。
【考案の詳細な説明】
【技術分野】
【０００１】
本考案はディスプレイ照明器具に関し、特に発光ダイオード（ＬＥＤ）の光源を備えるディスプレイ照明器具に関する。
【背景技術】
【０００２】
従来の警告板、看板、広告照明器具は、いずれも、従来のタングステン電球、蛍光灯、或いは、電子式省エネ電球を主な光源としている。上述した電球は電力消費量が大きく、しかもスペースをとるため、近年は、発光ダイオード（Ｌｉｇｈｔ  Ｅｍｉｔｔｉｎｇ  Ｄｉｏｄｅ、略称ＬＥＤ）の使用が普及してきており、発光ダイオードも上述した照明器具に適用されている。発光ダイオードの照明器具は、消費電力を節約できる、反応が速い、体積が小さい、使用寿命が長いなどの多くの長所があるため、従来の電球に取ってかわり次第に市場の主流になりつつある。
【考案の概要】
【考案が解決しようとする課題】
【０００３】
本考案は、デザインに立体視覚効果を与えることが可能なディスプレイ照明器具を提供することを目的とする。
【課題を解決するための手段】
【０００４】
上述の目的を達成するために、本考案によるディスプレイ照明器具は、台座体と、回路板と、蓋体と、照明板とによって構成する。台座体は、収容室と、側面開口と、上面開口とを備える。回路板は、台座体の収容室に収容され、回路板には、発光部材と、電源コードとが設けられ、前記電源コードは外部の電源に電気的に接続される。蓋体は、台座体の上面開口を覆う。照明板は、台座体の側面開口に穿設され、台座体の外に露出した照明板の一面には複数の網掛け状のドットが設けられ、回路板の発光部材は前記複数の網掛け状のドットを照射する。
【図面の簡単な説明】
【０００５】
【図１】本考案の一実施形態を示した分解図である。
【図２】本考案の一実施形態を図１とは別の角度の視点から示した分解図である。
【図３】本考案の一実施形態を示した斜視図である。
【考案を実施するための形態】
【０００６】
図１と図２を同時に参照する。図１は、本考案の一実施形態を示した分解図であり、図２は、本考案の一実施形態を図１とは別の角度の視点から示した分解図である。本考案の一実施形態によるディスプレイ照明器具は、台座体１０と、回路板２０と、蓋体３０と、照明板４０と、プラグ２５と、スイッチ２８と、螺合部材５０とによって構成する。
【０００７】
図に示すように、台座体１０は、収容室１１と、側面開口１２と、上面開口１３とを備え、台座体１０の中央位置には螺合孔１００が穿設される。回路板２０は、台座体１０の収容室１１内に収容され、回路板２０には、複数の電子部材２６と、二つの発光部材２１と、電源コード２２と、スイッチ２８とが固定して設けられる。電源コード２２は、外部の電源に電気的に接続され、回路板２０の中央位置にも螺合孔２００が穿設される。
【０００８】
本実施例において、電源コード２２は、プラグ２５のプラグ端子２５２と電気的に接続され、蓋体３０の溝孔３１にはストッパー３２が設けられる。また、プラグ２５のプラグ本体２５１におけるストッパー３２に対応する箇所には、孤形溝２７が設けられ、それにより、プラグ２５は９０度回転させることができる（即ち、家庭用の電源プラグに垂直に或いは水平に差し込むことができる）。また、プラグ２５のプラグ本体２５１にも螺合孔２５０が穿設される。
【０００９】
なお、本実施例において、二つの発光部材２１の点灯と消灯はスイッチ２８によって制御され、二つの発光部材２１は発光ダイオード（Ｌｉｇｈｔ  Ｅｍｉｔｔｉｎｇ  Ｄｉｏｄｅ）である。
【００１０】
図に示すように、照明板４０は、台座体１０の側面開口１２に穿設され、台座体１０の外に露出する照明板４０の一面には複数の網掛け状のドット４１が設けられ、発光部材２１が複数の網掛け状のドット４１を照射することによって、複数の網掛け状のドット４１は立体デザインを形成する。本実施例において、照明板４０の複数の網掛け状のドット４１は、印刷によって形成される。
【００１１】
本実施例の組み立て方法は、図に示すように、螺合部材５０を、プラグ２５の螺合孔２５０と、回路板２０の螺合孔２００と、台座体１０の螺合孔１００にそれぞれ穿設し、プラグ２５と蓋体３０と回路板２０と台座体１０を螺合する方式である。
【００１２】
蓋体３０には、二本の係合柱３３が設けられ、照明板４０における二本の係合柱３３に対応する箇所には二つの係合溝４３が設けられ、二本の係合柱３３は二つの係合溝４３に係合される。即ち、照明板４０は、係合溝４３と蓋体３０の係合柱３３とによって固定される。照明板４０は台座体１０の側面開口１２に穿設されるが、照明板４０は角度を傾斜させると取り出すことができ、螺合部材５０を取り外す必要がないため、極めて便利である。
【００１３】
図に示すように、蓋体３０には二本の位置決め柱３９が設けられ、回路板２０における二本の位置決め柱３９に対応する箇所には二つの位置決め孔２９が設けられ、二本の位置決め柱３５は二つの位置決め孔２９に係合される。以上の構造により、組み立てる際に蓋体３０と回路板２０を相互に位置決めするのに便利である。
【００１４】
図３を参照する。図３は、本考案の一実施形態を示した斜視図である。図に示すように、プラグ２５は９０度回転させることができる。即ち、プラグ２５は、照明板４０に対して垂直或いは水平に配置させることができ、家庭用の電源コンセントに差し込むのに便利である。
【符号の説明】
【００１５】
１０    台座体
１００  螺合孔
１１    収容室
１２    側面開口
１３    上面開口
２０    回路板
２００  螺合孔
２１    発光部材
２２    電源コード
２５    プラグ
２５０  螺合孔
２５１  プラグ本体
２５２  プラグ端子
２６    電子部材
２７    孤形溝
２８    スイッチ
２９    位置決め孔
３０    蓋体
３１    溝孔
３２    ストッパー
３３    係合柱
３９    位置決め柱
４０    照明板
４１    網掛け状のドット
４３    係合溝
５０    螺合部材
【図１】
0003166230.tif 000003
【図２】
0003166230.tif 000004
【図３】
0003166230.tif 000005